(57)【要約】【課題】家庭用電気機器等の外装筐体に水溶性多層フィルムをオーバーレイする水圧転写装置において、水溶性多層フィルムを水槽にはった水の表面に浮かべて流す場合、水溶性多層フィルムに皺や破れが発生しないようにする。【解決手段】水溶性多層フィルムを膨潤させるフィルム膨潤領域３と、そのフィルム膨潤領域３の下流側に水溶性多層フィルムを被転写物にオーバーレイするフィルム転写領域４と、そのフィルム膨潤領域３の上流側に配水管５により水が供給される水槽内タンク２とを設けた水圧転写装置において、水槽内タンク２内に挿入された配水管５の先端に、通過する水に対して抵抗となるステンレス製ネットよりなる袋状部１７を被せる。【選択図】  図１
2004148614.tif 000002
【特許請求の範囲】
【請求項１】
水溶性多層フィルムを水面に浮かべて流しつつ膨潤させるフィルム膨潤領域と、そのフィルム膨潤領域の下流側に水溶性多層フィルムを被転写物にオーバーレイするフィルム転写領域と、そのフィルム膨潤領域の上流側にフィルム膨潤領域の水深より深くて、配水管により水が供給される水槽内タンクとを設けた水圧転写装置において、水槽内タンク内に挿入された配水管の先端に通過する水に対して抵抗となる袋状網部材を被せた水圧転写装置。
【請求項２】
水溶性多層フィルムを水面に浮かべて流しつつ膨潤させるフィルム膨潤領域と、そのフィルム膨潤領域の下流側に水溶性多層フィルムを被転写物にオーバーレイするフィルム転写領域と、そのフィルム膨潤領域の上流側にフィルム膨潤領域の水深より深くて、配水管により水が供給される水槽内タンクとを設けた水圧転写装置において、フィルム膨潤領域の水流の途中に、底面から水面以上の高さと、水流以上の幅を有する通過する水に対して抵抗となる網部材を設けた水圧転写装置。
【発明の詳細な説明】
【０００１】
【発明の属する技術分野】
本発明は、水溶性多層フィルムを水槽内の水面に浮かべて流しつつ膨潤させ、テレビ受像機等の家庭用電気機器等の外装筐体にオーバーレイする水圧転写装置に関するものである。
【０００２】
【従来の技術】
従来、水溶性多層フィルムを水槽にはった水の水面に浮かべて膨潤させ、その水溶性多層フィルムに活性剤を塗布した後、被転写物の被転写面を水溶性多層フィルムに上方から押し付けることにより、水溶性多層フィルムを被転写物にオーバーレイする水圧転写装置は、一般に、水溶性多層フィルムを水面に浮かべた後、その水溶性多層フィルム上に活性剤を均一に塗布して反応性を高めることにより、水溶性多層フィルムはシート状から粒子状に変り、その粒子状になった水溶性多層フィルムが上方から押し付けられた被転写物の被転写面に被着するものであるが、全ての粒子が被転写物の被転写面に被着するものではなく、一部は残渣として水中に残るため、その水中の活性剤等の残渣を除く必要があり、水溶性多層フィルムを浮かべる水を流し、循環させることで、水の清浄化を図っている。
【０００３】
また、水を上流から下流へ流す従来の水溶性多層フィルム転写用の水槽は、上流側の水溶性多層フィルムの膨潤領域の底面を浅く、下流側の水溶性多層フィルムの転写領域では底面を深くしている。
【０００４】
これにより、水槽内を流す全水量を減らすことができ、また、フィルム転写領域で被転写物を水面上に浮かべた水溶性多層フィルムに押し付ける際、被転写物を水中深く押し込むことができ、転写作業を容易にしている。
【０００５】
しかし、上記従来の水圧転写装置は、図３の一部側断面図に示すように、水槽１に上流側から順に、深さＤ１の水槽内タンク２、深さＤ１より浅い深さＤ２のフィルム膨潤領域３、深さＤ２よりも深い深さＤ３のフィルム転写領域４を設け、さらに、水槽内タンク２内に水を供給する配水管５を上方向から挿入している。
【０００６】
この場合、配水管５から水槽内タンク２内に噴出する水の噴出圧力は、配水管５の先端出口から下方の一方向だけに強く、また、先端出口から噴出する水断面の部分によって噴出圧力が相違し、噴出圧力に均一性がなく、水槽内タンク２の下方に噴出された水は、上記図３の従来の水圧転写装置の水槽内における水流を示す図４（ａ）の水流側面図に示すように、水槽内タンク２の底面６および前後壁７および両側壁８に当たって水面方向に上昇する水流９が発生し、フィルム膨潤領域３においては水面の水流１０の流速や流量が底面の水流１１の流速や流量より大きくなり、水面から水中に向けて渦巻き１２が生じ、また、水槽内タンク２の下方に噴出された水の内、水槽内タンク２の側方に当たる水は、同じく上記図３の従来の水圧転写装置の水槽内における水流を示す図４（ｂ）の水流上面図に示すように、水槽内タンク２の両側壁８および前後壁７に当たってフィルム膨潤領域３に向かう水流１３が発生し、フィルム膨潤領域３においては水槽１の両側壁付近の水流１４の流速や流量が中央付近の水流１５の流速や流量よりも大きくなり、フィルム膨潤領域３において水槽１の両側壁付近に中央に向けて渦巻き１６が生じる。
【０００７】
上記のように、フィルム膨潤領域３において渦巻き１２，１６が発生するということはフィルム膨潤領域３の水流に乱れが生じたことになり、水面上に浮かべた水溶性多層フィルムは水流の乱れに揉まれて皺や破れが生じたり、水槽１の上流から下流へ流される水溶性多層フィルムが水槽１の側壁に押し付けられたりして、水溶性多層フィルムの流れが円滑に行われないという問題があった。
【０００８】
また、上記のように、水中の活性剤等の残渣を除くために水溶性多層フィルムを浮かべる水を流し循環させるのではなく、フィルム膨潤領域やフィルム転写領域における水流に一定の流速を与えて水溶性多層フィルムをこの流れに乗せて移動させ作業を流れ作業的に行うことが考えられており、その場合に、水流に一定の流速を与えるために、ポンプにより水流を駆動する方法や、ポンプと堰による液面差の組み合わせで液面の平滑化した安定水流を得る方法等があり、さらに、水溶性多層フィルムの伸展、移送を補助し、水溶性多層フィルムの皺の発生を防止し、転写パターンの変形、歪みが発生しないように送風装置で水溶性多層フィルムに風を吹き付けることが考えられているが（例えば、特許文献１参照。）、その種の水圧転写装置においても、前記の水圧転写装置における水流の乱れは解決されておらず、水溶性多層フィルムの流れが円滑に行われないという問題は依然として残るものである。
【０００９】
【特許文献１】
特開平７−１７８８８８号公報（第２頁１欄、図２）
【００１０】
【発明が解決しようとする課題】
一般に、家庭用電気機器等の外装筐体に水溶性多層フィルムをオーバーレイする水圧転写において、外装筐体の高品位な意匠外観を確保するためには、水溶性多層フィルムに描かれた模様を目的の位置にオーバーレイできることや、水溶性多層フィルムに皺や破れがないことが要求される。
【００１１】
しかるに、前記のように、従来の水圧転写装置によると、水槽にはった水の水流が不均一で渦巻きが生じ、水流の表面に浮かべて流す水溶性多層フィルムに皺や破れが発生したり、水溶性多層フィルムの流れが円滑に行われないという問題があり、水溶性多層フィルムをオーバーレイする外装筐体に高品位な意匠外観を確保することができないものであった。
【００１２】
本発明は上記の課題を解決するもので、水溶性多層フィルムを水槽にはった水の表面に浮かべて流す場合、水溶性多層フィルムを水面に浮かべる位置の上流において、水面の流れを均一にする装置を設けた水圧転写装置を提供するものである。
【００１３】
【課題を解決するための手段】
上記の課題を解決するために、本発明は、水溶性多層フィルムを水面に浮かべて流しつつ膨潤させるフィルム膨潤領域と、そのフィルム膨潤領域の下流側に水溶性多層フィルムを被転写物にオーバーレイするフィルム転写領域と、そのフィルム膨潤領域の上流側にフィルム膨潤領域の水深より深くて、配水管により水が供給される水槽内タンクとを設けた水圧転写装置において、水槽内タンク内に挿入された配水管の先端に通過する水に対して抵抗となる袋状網部材を被せた水圧転写装置であり、水槽内の水は水溶性多層フィルムを水面に浮かべる位置の上流において、均一な水面の流れとなり、その下流において水面に浮かべて流す水溶性多層フィルムに皺や破れが発生しなくなるものである。
【００１４】
【発明の実施の形態】
本発明の請求項１に記載の発明は、水溶性多層フィルムを水面に浮かべて流しつつ膨潤させるフィルム膨潤領域と、そのフィルム膨潤領域の下流側に水溶性多層フィルムを被転写物にオーバーレイするフィルム転写領域と、そのフィルム膨潤領域の上流側にフィルム膨潤領域の水深より深くて、配水管により水が供給される水槽内タンクとを設けた水圧転写装置において、水槽内タンク内に挿入された配水管の先端に通過する水に対して抵抗となる袋状網部材を被せた水圧転写装置であり、配水管の先端に通過する水に対して抵抗となる袋状網部材を被せたことにより、配水管から水槽内タンク内に噴出する水は噴出速度が低下するとともに、全方向に向かって均一な噴出圧力で噴出し、フィルム膨潤領域における水流の乱れがなくなるという作用を有する。
【００１５】
本発明の請求項２に記載の発明は、水溶性多層フィルムを水面に浮かべて流しつつ膨潤させるフィルム膨潤領域と、そのフィルム膨潤領域の下流側に水溶性多層フィルムを被転写物にオーバーレイするフィルム転写領域と、そのフィルム膨潤領域の上流側にフィルム膨潤領域の水深より深くて、配水管により水が供給される水槽内タンクとを設けた水圧転写装置において、フィルム膨潤領域の水流の途中に、底面から水面以上の高さと、水流以上の幅を有する通過する水に対して抵抗となる網部材を設けた水圧転写装置であり、フィルム膨潤領域の水流の途中に、通過する水に対して抵抗となる網部材を設けたことにより、網部材を通過する水は噴出速度が低下するとともに、均一な噴出圧力で噴出し、フィルム膨潤領域における水流の乱れがなくなるという作用を有する。
【００１６】
以下、本発明の実施の形態について図面を参照しながら説明する。
【００１７】
（実施の形態）
図１は本発明の実施の形態における水圧転写装置の一部側断面図であり、前記従来の水圧転写装置を示す図３の一部側断面図と同様な構成の水槽１において、上流側から順に、水槽内タンク２の水深が５００ｍｍ、フィルム膨潤領域３の水深が５０ｍｍ、フィルム転写領域４の水深がフィルム膨潤領域３の水深５０ｍｍよりも深い深さＤとなるように、上流側の水槽内タンク２内に上方向から配水管５の先端を挿入して水を供給し、下流側のフィルム転写領域４から外部に水を出して水を循環させている。
【００１８】
また、水槽内タンク２内に挿入した内径１８ｍｍの配水管５の先端には、先端を取り囲むように袋状部１７を取り付け、水深５０ｍｍ、長さ１００ｍｍ、幅１０００ｍｍのフィルム膨潤領域３の上流側には、水流に対して垂直に、水槽１の幅いっぱいで、かつ、水面から２０ｍｍの高さに突出する衝立部１８をフィルム膨潤領域３の底面から立てている。
【００１９】
前記袋状部１７の詳細な形状は、図２の（ａ）の拡大斜視図に示すように、開口率６０％のステンレス製ネット１９を、直径１００ｍｍ、配水管５からの飛び出し長さ２００ｍｍで円筒状に５重に巻回し、その先端開口部に当接するように、開口率６０％のステンレス製ネット１９を３層で幅１０００ｍｍ、長さ５０ｍｍからなる水槽内タンク２の底面全体に厚み１０ｍｍとなるように敷き詰めている。
【００２０】
また、衝立部１８の詳細な形状は、図２の（ｂ）の拡大斜視図に示すように、開口率６０％のステンレス製ネット２０を４枚挟み込んだステンレス製枠２１を水流に対して垂直に水底から水面上２０ｍｍの高さに突出するように立てている。
【００２１】
このような形態で、配水管５に平均流速２０ｍ／分、５０Ｌ／分の水を流して水槽内タンク２に水を供給した場合は、袋状部１７を通過する水が抵抗を受け、流速が弱められるとともに、配水管５の先端から水槽内タンク２の下方の一方向だけに水を噴出した場合に比し、袋状部１７の全表面から水槽内タンク２内に均等に水流２２が噴出することになり、水槽内タンク２内を上昇する水の速度は０．１８〜０．２２ｍ／分と穏やかで、かつ、均一なものとなった。
【００２２】
また、上記のように、水槽内タンク２内を上昇してフィルム膨潤領域３に達した水流は衝立部１８を通過することにより、さらに、抵抗を受け、流速が弱められとともに、衝立部１８の全表面から均等に水流２３が噴出し、衝立部１８を出てフィルム膨潤領域３を流れる水流は水槽１の全幅にわたり、水面上で１ｍ／分の流速で、かつ、均一なものとなった。
【００２３】
以上のように、本実施の形態の水圧転写装置によれば、水槽内タンク２内に挿入した配水管５の先端に設けた袋状部１７およびフィルム膨潤領域３の上流側に設けた衝立部１８により、水槽内タンク２内においては配水管５から噴出された水流は、その速度、圧力を緩和されるとともに全方向に向かって均一な噴出圧力で噴出し、また、それに基づき、フィルム膨潤領域３を流れる水流も水槽１の全幅にわたり均一な流れとなり、水流に渦巻き等が発生することがなくなり、フィルム膨潤領域３に浮かべた水溶性多層フィルムに皺や破れが生じることがなく、水溶性多層フィルムが流れる途中で水槽１の側壁にぶつかるということもなくなるものである。
【００２４】
【発明の効果】
以上のように、本発明の水圧転写装置によれば、水溶性多層フィルムを水槽にはった水の表面に浮かべて流す場合、水流の表面の速度はフィルム膨潤領域やフィルム転写領域において一定に保持でき、水溶性多層フィルムに皺や破れが発生することがなくなるという効果が得られる。
【図面の簡単な説明】
【図１】本発明の実施の形態における水圧転写装置の一部側断面図
【図２】（ａ）本発明の実施の形態における水圧転写装置の袋状部の拡大斜視図
（ｂ）本発明の実施の形態における水圧転写装置の衝立部の拡大斜視図
【図３】従来の水圧転写装置の一部側断面図
【図４】（ａ）従来の水圧転写装置の水流側面図
（ｂ）従来の水圧転写装置の水流上面図
【符号の説明】
１  水槽
２  水槽内タンク
３  フィルム膨潤領域
４  フィルム転写領域
５  配水管
６  底面
７  前後壁
８  両側壁
９，１０，１１，１３，１４，１５，２２，２３  水流
１２，１６  渦巻き
１７  袋状部
１８  衝立部
１９，２０  ステンレス製ネット
２１  ステンレス製枠
【図１】
2004148614.tif 000003
【図２】
2004148614.tif 000004
【図３】
2004148614.tif 000005
【図４】
2004148614.tif 000006